(57)【要約】【課題】自己発光することができる車両用外装部品を提供する。【解決手段】フロントバンパ２の開口部１１にグリル部品４を取り付ける。グリル部品４の部品本体２１における車両後方Ｒ側に灯体３１を設け、灯体３１からの光４１を部品本体２１の裏面側から当該部品本体２１内へ投光可能に構成する。グリル部品４を透明性を有した樹脂６１で形成し、樹脂６１内に、光４１を反射するフレーク状の反射片６２を多数設ける。【選択図】図１
2008162417.tif 000002
【特許請求の範囲】
【請求項１】
車両に取り付けられる部品本体の裏側に該部品本体へ光を当てる発光手段が設けられた車両用外装部品であって、
前記部品本体を、光を反射するフレーク状の反射片を含有した透明性を有する樹脂で形成したことを特徴とする車両用外装部品。
【発明の詳細な説明】
【技術分野】
【０００１】
本発明は、車両に取り付けられる車両用外装部品に関する。
【背景技術】
【０００２】
従来、図２の（ａ）に示すように、車両のフロントバンパ８０１には、バンパグリル８０２が設けられており、当該バンパグリル８０２に変化を付ける為に、本願出願人によってバンパグリル８０２を全体的に光らせる技術が発明されている（例えば、特許文献１）。
【０００３】
すなわち、前記フロントバンパ８０１の開口部８１１には、グリル部品８１２，８１２が取り付けられている。該グリル部品８１２は、図２の（ｂ）に示すように、車両前方Ｆ側を構成する前面８１３と、該前面８１３の上縁より車両後方Ｒ側へ延出する上面８１４と、前記前面８１３の下縁より車両後方Ｒ側へ延出する下面８１５とを備えており、当該グリル部品８１２は、車両後方Ｒ側に開口した断面コ字状に形成されている。
【０００４】
このグリル部品８１２は、透明色の樹脂によって形成されており、その表面には、表面処理部８２１が形成されている。前記表面処理部８２１には、裏側に設けられた灯体８２２からの光８２３を当該グリル部品８１２の表面側に透過する透過部８２４が設けられている。
【０００５】
これにより、前記灯体８２２からの光８２３を透明性を有した前記グリル部品８１２を通過させるとともに、前記表面処理部８２１に設けられた前記透過部８２４を介して表面側へ透過することにより、当該グリル部品８１２の表面を発光できるように構成されている。
【特許文献１】特願２００６−２９０５９６号
【発明の開示】
【発明が解決しようとする課題】
【０００６】
しかしながら、このような従来の車両用外装部品にあっては、前記灯体８２２からの光８２３を前記グリル部品８１２の表面で反射して光られる構造上、光かたが間接的であった。
【０００７】
本発明は、このような従来の課題に鑑みてなされたものであり、自己発光することができる車両用外装部品を提供することを目的とするものである。
【課題を解決するための手段】
【０００８】
前記課題を解決するために本発明の請求項１の車両用外装部品においては、車両に取り付けられる部品本体の裏側に該部品本体へ光を当てる発光手段が設けられた車両用外装部品であって、前記部品本体を、光を反射するフレーク状の反射片を含有した透明性を有する樹脂で形成した。
【０００９】
すなわち、車両に取り付けられる部品本体は、透明性を有した樹脂によって形成されており、この樹脂内には、光を反射するフレーク状の反射片が設けられている。
【００１０】
このため、この部品本体の裏側に設けられた発光手段によって該部品本体に光を当てた際には、その光が前記部品本体を透過することで、当該部品本体が発光する。
【００１１】
このとき、前記部品本体を形成する前記樹脂内には、フレーク状の反射片が設けられている。このため、前記発光手段からの光が前記反射片で反射することによって、当該部品本体内の前記反射片が光り輝く。
【発明の効果】
【００１２】
以上説明したように本発明の請求項１の車両用外装部品にあっては、前記部品本体の裏側に設けられた発光手段で当該部品本体に光を当てた際に、その光を前記部品本体を透過させることで、当該部品本体自体を発光させることができる。
【００１３】
このため、灯体からの光をグリル部品の表面で反射して光らせる構造上、光かたが間接的であった従来と比較して、前記部品本体を全体的に均一に光らせることができる。
【００１４】
このとき、前記部品本体を形成する前記樹脂内には、フレーク状の反射片が設けられている。このため、前記発光手段からの光が前記反射片で反射することで、当該部品本体内の前記反射片を光り輝かせることができる。
【００１５】
これにより、前記部品本体を見る角度によって、当該部品本体をキラキラ光らせることができる。
【００１６】
このため、走行等によって見る角度が変化する本願発明の車両用外装部品においては、前記部品本体がキラキラ光るように見せることができるため、その意外性によってインパクトを与えることができる。
【発明を実施するための最良の形態】
【００１７】
以下、本発明の一実施の形態を図に従って説明する。図１は、本実施の形態にかかる車両用外装部品の一例を示す図である。該車両用外装部品は、車両１の外側に取り付けられる部品で、その一例として車両のフロントバンパ２に設けられたバンパグリル３を構成するグリル部品４，４が示されている。
【００１８】
すなわち、前記フロントバンパ２には、通気用の開口部１１が設けられており、該開口部１１には、前記グリル部品４，４が取り付けられている。
【００１９】
該グリル部品４の部品本体２１は、長尺状に形成されており、当該グリル部品４は、前記開口部１１内に配置された状態で、その両端部が前記フロントバンパ２に固定されている。この固定状態において、前記開口部１１内は、前記部品本体２１によって上下に区画されており、当該フロントバンパ２に前記バンパグリル３が形成されている。
【００２０】
前記部品本体２１の車両後方Ｒ側には、発光手段としての灯体３１，３１がナンバープレート３２を境とした左右の二箇所に設けられており、該灯体３１は、図外のステーで前記フロントバンパ２に固定された例えばＬＥＤによって構成されている。各灯体３１，・・・は、例えばヘッドライトのスイッチ操作に連動して通電されるように構成されており、通電時に発光するように構成されている。
【００２１】
これにより、前記各灯体３１，・・・は、図１の（ｂ）に示すように、発光した光４１を前記部品本体２１の裏面側から当該部品本体２１内部へ投光するように構成されている。
【００２２】
このグリル部品４の前記部品本体２１は、車両前方Ｆ側を構成する前面５１と、該前面５１の上縁より車両後方Ｒ側へ延出する上面５２と、前記前面５１の下縁より車両後方Ｒ側へ延出する下面５３とを備えてなり、当該部品本体２１は、車両後方Ｒ側に開口した断面コ字状に形成されている。
【００２３】
当該グリル部品４は、透明性を有した樹脂６１によって形成されており、例えば無色透明に形成されている。このグリル部品４を形成する前記樹脂６１には、光４１を反射するフレーク状の反射片６２が多数設けられており、これら反射片６２，・・・は、メタリックのフレークや金属片によって構成されている。
【００２４】
すなわち、このグリル部品４を形成する際には、固化前の樹脂６１に所定量の前記反射片６２，・・・を投入して混合する。このとき、この反射片６２の色や混合量を調整することによって、当該グリル部品４の色合いを調整する。
【００２５】
そして、この反射片６２，・・・を含有した前記樹脂６１を金型に流し込む。この状態で、当該樹脂６１を固化することによって、前記反射片６２，・・・が満遍なく行き渡った透明性を有する樹脂６１からなる前記グリル部品４が形成される。
【００２６】
以上の構成にかかる本実施の形態において、車両１に取り付けられる車両用外装部品としての前記グリル部品４，４は、透明性を有した樹脂６１によって形成されており、この樹脂６１内には、光４１を反射するフレーク状の反射片６２，・・・が設けられている。
【００２７】
このため、このグリル部品４，４の裏側に設けられた灯体３１，・・・によって当該グリル部品４，４に光４１を当てた際には、その光４１が前記グリル部品４，４を透過することで、当該グリル部品４，４自体を発光させることができる。
【００２８】
したがって、灯体からの光をグリル部品の表面で反射して光らせる構造上、光かたが間接的であった従来と比較して、前記グリル部品４，４を全体的に均一に光らせることができる。
【００２９】
このとき、前記部品本体２１を形成する前記樹脂６１内には、フレーク状の反射片６２，・・・が設けられている。このため、前記灯体３１からの光４１が前記反射片６２，・・・で反射することによって、当該部品本体２１内の前記反射片６２，・・・を光輝かせることができる。
【００３０】
これにより、前記部品本体２１を見る角度によって、当該部品本体２１をキラキラ光らせることができる。
【００３１】
このため、走行等によって見る角度が変化する本願発明のグリル部品４においては、前記部品本体２１がキラキラ光るように見せることができる。このため、その意外性によってインパクトを与えることができる。
【図面の簡単な説明】
【００３２】
【図１】本発明の実施の形態を示す図で、（ａ）は取付状態を示す正面図であり、（ｂ）は（ａ）のＡ−Ａに沿った断面図である。
【図２】（ａ）は従来のフロントバンパを示す正面図であり、（ｂ）は（ａ）のＢ−Ｂに沿った断面図である。
【符号の説明】
【００３３】
１    車両
４    グリル部品（車両用外装部品）
２１    部品本体
３１    灯体
４１    光
６１    樹脂
６２    反射片
【図１】
2008162417.tif 000003
【図２】
2008162417.tif 000004